(57)【要約】【課題】  モータ交換を容易にし、モータ交換に要する時間を短縮すること。【解決手段】  映像表示装置は、光源１と、色フィルタ４と、そのモータ３と、ライトバルブ８と、投写光学系９と、これらを収容したキャビネット２３とを備えている。キャビネット２３内には、色フィルタ４、モータ３及びライトバルブ８等が収容されたボトムケース１７が設けられている。色フィルタ４及びモータ３は、ボトムケース１７に形成された開口部３０を介して、ボトムケース１７から挿抜可能なホルダ３１に保持されている。ボトムケース１７をキャビネット２３から取り出さずに、モータ３を保持したホルダ３１を抜き出すことができるため、モータ交換を容易に行うことができる。【選択図】        図３
2006267751.tif 000002
【特許請求の範囲】
【請求項１】
光源と、
前記光源から射出された光を透過させる色フィルタと、
前記色フィルタを回転させるモータと、
前記色フィルタを透過した光を変調するライトバルブと、
前記ライトバルブにより変調された光をスクリーンに投写する投写光学系と、
前記光源、前記色フィルタ、前記モータ、前記ライトバルブ、前記投写光学系及び前記スクリーンを収容する装置筐体と、
前記装置筐体の内部に設けられたユニットケースと、
前記ユニットケースに形成された開口部と、
前記色フィルタ及び前記モータを保持し、前記ユニットケースに、前記開口部を介して挿抜可能に設けられたホルダと、
前記装置筐体に、前記ユニットケースの前記開口部に対向して設けられた操作用開口と
を備えたことを特徴とする映像表示装置。
【請求項２】
前記ホルダが挿抜可能な方向が、前記投写光学系の光軸に対して略直交する方向であることを特徴とする請求項１に記載の映像表示装置。
【請求項３】
前記ホルダを、前記挿抜可能な方向に案内するガイドをさらに備えたことを特徴とする請求項１又は２に記載の映像表示装置。
【請求項４】
前記ホルダが前記ユニットケース内に挿入された状態で、前記ユニットケース及び前記ガイドが、前記色フィルタ及び前記モータの周囲を覆うよう構成されていることを特徴とする請求項３に記載の映像表示装置。
【請求項５】
前記ホルダが前記ユニットケース内に挿入された状態で、前記ホルダを前記ガイドに対して押圧する押圧部材をさらに備えたことを特徴とする請求項１から４までのいずれかに記載の映像表示装置。
【請求項６】
前記押圧部材は少なくとも一つのばね部材であり、
前記ばね部材の固有振動数が、前記モータの回転周波数よりも低いことを特徴とする請求項５に記載の映像表示装置。
【請求項７】
光源と、
前記光源から射出された光を透過させる色フィルタと、
前記色フィルタを回転させるモータと、
前記色フィルタを透過した光を変調するライトバルブと、
前記ライトバルブにより変調された光をスクリーンに投写する投写光学系と、
前記光源、前記色フィルタ、前記モータ、前記ライトバルブ、前記投写光学系及び前記スクリーンを収容する装置筐体と、
前記装置筐体の内部に設けられたユニットケースと、
前記ユニットケースに形成された開口部と、
前記モータの駆動を、前記ライトバルブと同期して制御する回路基板と、
前記ユニットケースの内部で且つ前記開口部の近傍に設けられ、ケーブルを介して前記回路基板に接続された中継基板と
を備えたことを特徴とする映像表示装置。
【請求項８】
前記ユニットケースにおいて前記ケーブルを囲む部分が、導電性を有する部材により構成されていることを特徴とする請求項７に記載の映像表示装置。
【請求項９】
前記色フィルタ及び前記モータを保持し、前記ユニットケースに、前記開口部を介して挿抜可能に設けられたホルダをさらに備えたことを特徴とする請求項７又は８に記載の映像表示装置。
【発明の詳細な説明】
【技術分野】
【０００１】
本発明は、ＤＬＰ（Digital  Light  Processing）プロジェクタ等の映像表示装置に関し、より詳細には、回転型の色フィルタを備えた映像表示装置に関する。
【背景技術】
【０００２】
投写型の映像表示装置では、光源から射出された光が、回転型の色フィルタ（カラーホイール）を透過してライトバルブに入射し、このライトバルブにより生成された映像が投写レンズによりスクリーンに投影される。光源から投写レンズまでの光学部品（色フィルタ及びライトバルブを含む）は、光学ユニットを構成し、箱型のユニットケースに収容されている。色フィルタは、モータの主軸に固定され、高速で回転する。この回転に伴って色フィルタに周囲の埃が付着しないよう、色フィルタ及びモータは、光を透過する窓部を有するカラーホイールケース内に密封されている（例えば、特許文献１参照）。
【０００３】
【特許文献１】特開２００２−９０８８６号公報（第４−５頁、図１−２）
【発明の開示】
【発明が解決しようとする課題】
【０００４】
一般に、カラーホイールケースは、ユニットケースの底面にねじにより固定されている。ユニットケースは、スクリーンに投影される映像の位置調整を行うための位置調整台の上に固定され、映像表示装置のキャビネット内に収容されている。また、キャビネット内には、光源からの漏れ光がスクリーンに照射されないよう、光学ユニットとスクリーンとの間を仕切る仕切り板が設けられている。
【０００５】
モータが長時間に亘って高速回転していると、その軸受の磨耗寿命により異音が発生し、あるいは回転が停止する場合があり、このような場合にはモータを交換しなければならない。モータ交換の際には、まず、光学ユニットのユニットケースを位置調整台から取り外してキャビネット外に取り出す。次に、ユニットケースのカバーを取り外し、カラーホイールケースをユニットケースの底面から取り外す。次いで、ケーブルを回路基板から取り外し、カラーホイールケースを本体と蓋とに２分割してモータを取り出し、新しいモータ（予め色フィルタが固定されている）と交換する。
【０００６】
ここで、ユニットケースのカバーを取り外すためのねじを回転操作する工具や、ユニットケース底面のねじを回転操作するための工具の挿入経路は、上述した仕切り板で遮られている。そのため、ユニットケースを位置調整台から取り外し、さらにキャビネット外に取り出した後でなければ、モータの交換を行うことができない。さらに、ユニットケースを位置調整台に再び取り付けた後、光学ユニットとスクリーンとの相対位置関係を調整するために位置調整台を操作しなければならず、モータ交換に要する時間が長くなる。
【０００７】
また、回路基板で発生する高周波ノイズがケーブルを介してキャビネットの外部に漏れないよう、回路基板及びケーブルはシールドケースに収容されている。そのため、ケーブルを回路基板から取り外す際には、シールドケースからそのカバーを取り外さなければならず、交換作業が更に煩雑になる。特に、シールドケースのカバーは、ユニットケースの下側（位置調整台に面する側）に取り付けられているため、位置調整台からユニットケースを取り外した後でなければ、シールドケースからカバーを取り外すことができない。
【０００８】
本発明は、上記の課題を解決するためになされたもので、その目的は、モータ交換を容易にし、モータ交換に要する時間を短縮することにある。
【課題を解決するための手段】
【０００９】
本発明に係る映像表示装置は、光源と、光源から射出された光を透過させる色フィルタと、色フィルタを回転させるモータと、色フィルタを透過した光を変調するライトバルブと、ライトバルブにより変調された光をスクリーンに投写する投写光学系と、光源、色フィルタ、モータ、ライトバルブ、投写光学系及びスクリーンを収容する装置筐体と、装置筐体の内部に設けられたユニットケースと、ユニットケースに形成された開口部と、色フィルタ及びモータを保持し、ユニットケースに、開口部を介して挿抜可能に設けられたホルダと、装置筐体に、ユニットケースの開口部に対向して設けられた操作用開口とを備えている。
【００１０】
本発明に係る映像表示装置は、また、光源と、光源から発せられた光を透過させる色フィルタと、色フィルタを回転させるモータと、色フィルタを透過した光を変調するライトバルブと、ライトバルブにより変調された光をスクリーンに投写する投写光学系と、光源、色フィルタ、モータ、ライトバルブ、投写光学系及びスクリーンを収容する装置筐体と、装置筐体の内部に設けられたユニットケースと、ユニットケースに形成された開口部と、モータの駆動を、ライトバルブと同期して制御する回路基板と、ユニットケースの内側で且つ開口部の近傍に設けられ、ケーブルを介して回路基板に接続された中継基板とを備えている。
【発明の効果】
【００１１】
本発明によれば、ユニットケースを装置筐体から取り出すことなく、（モータを保持している）ホルダをユニットケースの開口部から取り出すことができるため、モータ交換を容易に行うことができる。また、ユニットケースを装置筐体から取り出す場合と異なり、モータ交換の後にユニットケースの位置を再調整する必要が無いため、モータ交換に要する時間を短縮することができる。
【００１２】
また、本発明によれば、ユニットケースの開口部を介して中継基板からケーブルを取り外すことができるため、モータ交換を容易に行うことができる。また、回路基板を収容するケース（例えばシールドケース）のカバー等を取り外す作業が必要ないため、モータ交換に要する時間を短縮することができる。
【発明を実施するための最良の形態】
【００１３】
以下、発明を実施するための最良の形態について説明する。
図１及び図２は、本発明の実施の形態１に係る映像表示装置の光学ユニットの内部構造を示す縦断面図及び断面図である。図３乃至図５は、映像表示装置の光学ユニットの斜視図である。
【００１４】
図１及び図２に示すように、光学ユニット２２は、光源１と、この光源１から射出された光を透過させる色フィルタ４とを備えている。光源１と色フィルタ４との間には、図示しない集光レンズが設けられている。光源１は、例えば放電ランプであり、ここでは水平方向に光を射出するものとする。色フィルタ４は、例えばガラス製の円板であり、その周方向に、それぞれ特定の波長帯域の光を透過させる薄膜が蒸着された３つの色領域を有している。色フィルタ４は、モータ３（図２）の主軸に取り付けられており、光源１からの光の入射方向に略平行な回転軸を中心として回転する。色フィルタ４が高速で回転することにより、光源１から射出された光が３色に色分解される。
【００１５】
光学ユニット２２は、さらに、色フィルタ４を透過した光の進行方向を略反転させるミラー５，６と、このミラー５，６による反射光が入射するプリズム７と、プリズム７の反射光が入射するライトバルブ８とを有している。ライトバルブ８は、映像信号に基づいて入射光を空間的に変調する（すなわち映像を生成する）ものである。ライトバルブ８と色フィルタ４とは、後述する制御基板１５（図１）により互いに同期して制御される。
【００１６】
光学ユニット２２は、さらに、ライトバルブ８により変調された光を投写する投写光学系９を有している。ここでは、投写光学系９の光軸Ａの方向は、略鉛直方向である（図３参照）。すなわち、この投写光学系９は、光学ユニット２２の上方に配置された後述するミラー２５（図１１）に向けて、鉛直上方に光を射出するようになっている。
【００１７】
モータ３、色フィルタ４、ミラー５，６、プリズム７及びライトバルブ８は、ボトムケース１７の内側に取り付けられている。ボトムケース１７は、上方が開放された略箱状部材であり、その上側はアッパーケース２１によって覆われている。また、アッパーケース２１には、上述した投写光学系９が取り付けられている。ボトムケース１７及びアッパーケース２１は、モータ３、色フィルタ４、ミラー５，６、プリズム７及びライトバルブ８を収容するユニットケースを構成している。なお、光源１は、ボトムケース１７に取り付けられた光源ケース１ａ（図１２）に装着されている。
【００１８】
光学ユニット２２の基本的な動作について、図１を参照して説明する。光源１から発せられた光２は、図示しない集光レンズにより収束光となり、モータ３により回転する色フィルタ４を透過し、ボトムケース１７に固定されたミラー５及びミラー６でそれぞれ反射され、プリズム７を介してライトバルブ８に入射する。ライトバルブ８により変調された光は、投写光学系９によりスクリーン２６（図１１）に投写され、スクリーン２６にカラー映像が表示される。
【００１９】
次に、色フィルタ４及びモータ３の取り付け構造について説明する。図３に示すように、色フィルタ４が主軸に固定されたモータ３は、ホルダ３１に固定されている。このホルダ３１には、モータ３の回転数を検出するセンサを備えたセンサ基板３３が固定されている。
【００２０】
ボトムケース１７には、ホルダ３１を、投写光学系９の光軸（鉛直軸）に対して略直交する方向に案内するガイド４０が設けられている。なお、このガイド４０による案内方向は、色フィルタ４の回転軸に対しても略直交している。また、ボトムケース１７の側面には、ホルダ３１をガイド４０に沿ってボトムケース１７から抜き出すための開口部３０が形成されている。この開口部３０は、取り外し可能なカバー３６によって覆われている。カバー３６を取り外すことにより、ホルダ３１をボトムケース１７から抜き出すことが可能になる。
【００２１】
図３に示した状態では、開口部３０を介して、色フィルタ４及びモータ３を保持したホルダ３１が、矢印３４で示す方向にボトムケース１７から抜き出されている。図４に示した状態では、開口部３０を介して、ホルダ３１が、矢印３５で示す方向にボトムケース１７に挿入されている。図５に示した状態では、ホルダ３１がボトムケース１７に完全に挿入され、開口部３０がカバー３６で塞がれている。矢印３４，３５で示す挿抜方向は、投写光学系９の光軸方向３６に対して略直交している。
【００２２】
カバー３６は、開口部３０の周囲に密着した状態で、ねじ３７（図５）によりボトムケース１７の側面に固定される。カバー３６により開口部３０を塞ぐと、カバー３６の一端に形成された切り欠き部３８（図３〜４）が、ボトムケース１７の側面とボトムケース１７に取り付けられたフック３９との間で挟持される。これにより、カバー３６の裏面に固着されたガスケット３６ａ（図２）が開口部３０の周囲に密着し、開口部３０とカバー３６との間を塞いで埃の侵入を防ぐ。
【００２３】
図６〜図９は、ホルダ３１とガイド４０とを示す斜視図である。図６及び図７は、ホルダ３１がガイド４０に挿入された状態と、ホルダ３１がガイド４０から抜き出された状態とを、色フィルタ４に対する光の入射側（以下、単に入射側とする。）から見た斜視図である。図８及び図９は、ホルダ３１がガイド４０に挿入された状態と、ホルダ３１がガイド４０から抜き出された状態とを、色フィルタ４からの光の射出側（以下、単に射出側とする。）から見た斜視図である。
【００２４】
図７及び図９に示すように、ガイド４０は、互いに平行な上下一対の上壁４３及び下壁４４を有している。上壁４３及び下壁４４は、略水平に延在し、光源１からの光の進行方向に対して略直交する方向に長く形成されている。上壁４３の入射側の端部からは、側壁５０が下方に延在しており、下壁４４の入射側の端部からは、側壁５１が上方に延在している。側壁５０，５１の間には、これらよりも入射側に僅かに変位した側壁４０ａが形成されている。側壁４０ａには、光源１からの光を通過させる開口４０ｂが形成されている。上壁４３の射出側の端部からは、側壁５０に対向するように対向壁４８が下方に延在しており、下壁４４の入射側の端部からは、側壁５１に対向するように対向壁４９が上方に延在している。これら対向壁４８，４９の間は開放されている。
【００２５】
側壁５０，５１には、それぞれ長尺状の板ばね（押圧部材）５２，５３が取り付けられている。板ばね５２は、中央部が側壁５０に固定され、両端部がそれぞれ屈曲されて当接部５４，５５となっている。板ばね５２の当接部５４，５５は、側壁５０の両端に形成された切欠部５６，５７から、ガイド４０の内側（側壁５０と対向壁４８との間）に突出している。同様に、板ばね５３は、中央部が側壁５１に固定され、両端部がそれぞれ屈曲されて当接部５８，５９となっている。板ばね５３の当接部５８，５９は、側壁５１の両端に形成された切欠部６０，６１から、ガイド４０の内側（側壁５１と対向壁４９との間）に突出している。
【００２６】
ホルダ３１は、互いに平行な上下一対の上壁４１及び下壁４２を有している。上壁４１及び下壁４２は、光源１からの光の進行方向に対して略直交する方向に長く形成されている。上壁４１及び下壁４２の射出側には、側壁４７が形成されている。上壁４１の入射側の端部からは、側壁４７に対向するように対向壁４５が下方に延在しており、下壁４２の入射側の端部からは、側壁４７に対向するように対向壁４６が上方に延在している。２つの対向壁４５，４６の間は開放されている。また、側壁４７の側端部には、上壁４１と下壁４２との間で延在する鉛直壁３５が形成されている。
【００２７】
図８及び図９に示すように、モータ３は、ホルダ３１の側壁４７に形成されたモータ取り付け部４７ｂに、ねじ３６により固定される。側壁４７には、色フィルタ４の透過光を通過させるための開口部４７ａが形成されている。モータ３には、制御回路１５からの信号等を伝達するケーブル１４の一端が接続されており、このケーブル１４は、側壁４７の開口部４７ａを介してホルダ３１の外側に引き出されている。なお、上壁４１と下壁４２との間隔は、これら上壁４１及び下壁４２と色フィルタ４との間の隙間が僅かになるように設定されている。また、側壁４７には、モータ３の回転を検出するためのセンサ基板３３（図７）も取り付けられている。
【００２８】
図７に示すように、ホルダ３１の上壁４１、下壁４２、対向壁４５，４６及び側壁４７は、ガイド４０の上壁４３、下壁４４、側壁５０，５１及び対向壁４８，４９によって、投写光学系９の光軸に直交する方向に案内される。なお、色フィルタ４は、ホルダ３１の上壁４１、下壁４２、対向壁４５，４６及び側壁４７によって囲まれているため、使用者がホルダ３１を手で掴んでも、色フィルタ４の表面に指紋等が付着することがなく、また、色フィルタ４０が開口部３０の周囲やガイド４０に接触して破損することもない。
【００２９】
ホルダ３１をガイド４０に挿入した状態では、モータ３及び色フィルタ４は、ホルダ３１の上壁４１、下壁４２、側壁４７及び鉛直壁３５と、ガイド４０の側壁４０ａ，５０，５１とにより周囲を囲まれる。これにより、色フィルタ４への埃等の付着が防止される。また、ガイド４０の板ばね５２の当接部５４，５５がホルダ３１の対向壁４５を付勢し、また板ばね５３の当接部５８，５９がホルダ３１の対向壁４６を付勢するため、板ばね５２，５３の弾性力により、ホルダ３１がガイド４０に対して押圧された状態で保持される。
【００３０】
なお、ガイド４０は、図３に示すように、ボトムケース１７の底面に固定されている。ボトムケース１７の底面からアッパーケース２１までの高さは、色フィルタ４の直径に、ホルダ３１の上壁４１及び下壁４２の肉厚、ガイド４０の上壁４３及び下壁４４の肉厚を足した分よりも僅かに高くなるよう設定されている。
【００３１】
図１０は、ホルダ３１とガイド４０とカバー３６とを取り出して示す斜視図である。この図１０は、ホルダ３１の挿入方向における奥側（すなわちボトムケース１７の内側）からカバー３６側を見た図である。
【００３２】
図１０に示すように、ガイド４０の上壁４３及び下壁４４のホルダ挿入方向の端部には、それぞれストッパ６２ａ，６２ｂが形成されている。ホルダ３１をガイド４０に沿って挿入すると、ホルダ３１の上壁４１及び下壁４２の各端部６３ａ，６３ｂがストッパ６２ａ，６２ｂに当接する。さらに、カバー３６をねじ３７（図５）によりボトムケース１７に固定すると、カバー３６の内側に固定された板ばね６４が、ホルダ３１の鉛直壁３５（図６〜図９）に当接し、これを挿入方向に付勢する。これにより、ホルダ３１は、その挿入方向に、ガイド４０に対して押圧された状態で固定される。従って、モータ交換などに際してホルダ３１を光学ユニット２２に取り付けるときには、１本のねじ３７（図５）を締め付けるだけで、ホルダ３１が光学ユニット２２のボトムケース１７に対して位置決めすることができる。
【００３３】
この板ばね６４及び上述した板ばね５２，５３（図６〜図７）の形状及び材質は、それぞれがホルダ３１を押圧しているときの固有振動数が、モータ３の回転周波数よりも低くなるように設定されている。これにより、モータ３の高速回転時に発生する振動が、板ばね５２，５３及び板ばね６４により減衰し、ボトムケース１７等の構造物への振動の伝播が抑制される。その結果、光学ユニット２２の外部でのモータ３の回転振動に起因する騒音が低減する。
【００３４】
ここで、モータ交換に際しては、モータ３の取り出しのほかに、モータ３に回路基板１５からの制御信号を伝達するケーブルの取り外しが必要となる。そのための構成について、以下で説明する。
【００３５】
図１に示したように、モータ３とライトバルブ８とを制御する制御回路を備えた回路基板１５は、発生する高周波の電磁波が外部に漏れないように、ボトムケース１７の下面に固定されたシールドケース６５の内部に取り付けられている。シールドケース６５は、下方が開放された箱状の容器であり、その下面がシールドカバー６５ａで覆われている。
【００３６】
また、回路基板１５には、ライトバルブ８の駆動と同期してモータ３を回転させるための信号を伝達するケーブル６６の一端が接続されている。ボトムケース１７には、ケーブル６６の他端が接続された中継基板６７が取り付けられている。この中継基板６７には、モータ３に接続されたケーブル１４が着脱可能に取り付けられている。モータ３を回転駆動するための電力及び回転同期信号は、回路基板１５から、ケーブル６６、中継基板６７及びケーブル１４を通ってモータ３に送られる。
【００３７】
図４に示すように、中継基板６７は、ボトムケース１７の内部で且つ開口部３０の近傍に配置されている。そのため、モータ３を交換する場合には、カバー３６をボトムケース１７の開口部３０から取り外すことで、この開口部３０を介して、ケーブル１４を中継基板６７から容易に取り外すことができる。
【００３８】
ボトムケース１７内の中継基板６７と、シールドケース６５内の回路基板１５とを接続するケーブル６６は、ボトムケース１７の貫通孔６８（図１）及びシールドケース６５の貫通孔を通っており、ボトムケース１７及びシールドケース６５の外部には露出していない。
【００３９】
また、ボトムケース１７、アッパーケース２１、カバー３６及びそのガスケット３６ａは、いずれも導通性を有する部材（例えばアルミニウム等）で成形されている。そのため、回路基板１５で発生する高周波の電磁波が、ケーブル６６を介してケーブル１４に伝播したとしても、このケーブル１４が導電性を有する部材に囲まれているため、ケーブル１４からボトムケース１７の外部に電磁波が漏れることが防止される。
【００４０】
図１１は、上述した光学ユニット２２を搭載した、本発明の実施の形態１に係る映像表示装置の基本構成を示す縦断面図である。図１２は、図１１に示した映像表示装置の一部を拡大して示す背面図である。
【００４１】
図１１に示すように、映像表示装置は、上述した光学ユニット２２が固定された位置調整台２４と、光学ユニット２２の上部に設けられたミラー２５と、ミラー２５で反射された映像が投影されるスクリーン２６と、これらを収容するキャビネット（装置筐体）２３とを有している。光学ユニット２２の投写光学系９から上方に射出された光は、ミラー２５により反射されてスクリーン２６に投写され、これにより映像がスクリーン２６に拡大投影される。位置調整台２４は、光学ユニット２２の位置を調整することで、スクリーン２６に投影された映像の位置を調整するものである。また、光学ユニット２２内の光源１の漏れ光が直接スクリーン２６に照射されないよう、光学ユニット２２とスクリーン２５との間には仕切り板２７が設けられている。
【００４２】
図１２に一点鎖線Ｘで示すように、光学ユニット２２の光源１（図１等）からの光の射出方向は、スクリーン２６（図１１）の横方向と略平行である。また、光学ユニット２２からのホルダ３の抜き出し方向３４（図３）は、スクリーン２６側と反対の側、すなわちキャビネット２３の背面側に向かう方向である。
【００４３】
図１２に示すように、キャビネット２３の背面には、光学ユニット２２の開口部３０（図３等）を塞ぐカバー３６に対応する位置に、メンテナンス用開口（操作用開口）６９が設けられている。このメンテナンス用開口６９は、開閉可能なカバー７０により塞がれている。メンテナンス用開口６９及びカバー７０は、部品交換時に部品を出し入れするために設けられたものである。
【００４４】
モータ３のボールベアリングの磨耗寿命等により、モータ３から異音が発生し、あるいは回転が停止した場合は、まずカバー７０を開いてメンテナンス用開口６９を開放する。次いで、このメンテナンス用開口６９から、光学ユニット２２のボトムケース１７のねじ３７を緩め、カバー３６を取り外す。これにより、ボトムケース１７の開口部３０（図３）が開放される。
【００４５】
次に、図４に示すように、ボトムケース１７の開口部３０を介して、ケーブル１４を中継基板６７から取り外す。ケーブル１４を取り外したのち、図３に示すように、ホルダ３１をガイド４０に沿ってボトムケース１７から抜き出す。次いで、モータ３（色フィルタ４が固定されている）を取り外して、新しい色フィルタ４が予め固定されている新しいモータ３に交換する。
【００４６】
新しいモータ３をホルダ３１に取り付けたのち、ボトムケース１７の開口部３０から、ホルダ３１をガイド４０に沿って挿入する。次いで、ケーブル１４を中継基板６７に接続し、カバー３６をねじ３７でボトムケース１７に固定する。その後、メンテナンス用開口６９のカバー７０を閉じると、モータ３の交換作業が完了する。
【００４７】
上述したモータ３の交換作業では、部品交換時に部品を出し入れするためのメンテナンス用開口６９のカバー７０を開くと、その正面に上記ねじ３７を視認することができ、また、ねじを緩めるための工具２０ａ（例えばドライバー）をメンテナンス用開口６９から容易に挿入できるため、光学ユニット２２を位置調整台２４から外さずに、ホルダ３１を光学ユニット２２から取り出すことができる。
【００４８】
また、光学ユニット２２を位置調整台２４から取り外さなくてもよいため、スクリーン２６と投写光学系９との位置関係がモータ交換の前後で変化せず、従って、モータ３の交換後に位置調整台２４を再調整する必要がない。これにより、モータ交換の作業を容易にし、モータ交換に要する時間を短縮することができる。
【００４９】
次に、モータ３の回転振動に起因する騒音を低減するための具体的な数値例を説明する。板ばね（上述した板ばね５２，５３，６４）の固有振動数は、重力加速度をｇとし、板ばねの付勢力をＷとし、板ばねの縦弾性係数をＥとし、板ばねの断面係数をＩとし、板ばねの固定点から作用点までの距離をＬとすると、以下の式（１）により表される。
【００５０】
【数１】
2006267751.tif 000003
【００５１】
具体的な数値例としては、板ばね５２，５３，６４は、いずれも付勢力が４．４Ｎ（４５０ｇ）、縦弾性係数が１．８×１０１１Ｐａ（１９０００ｋｇ／ｍｍ２）、断面係数が０．０１３５、固定点から作用点までの距離が１２ｍｍとなるように構成されている。モータ３の回転周波数は、１２０Ｈｚに設定されている。上述した式（１）から、板ばね５２，５３，６４のそれぞれの固有振動数（ｆ）は、約６４Ｈｚであり、モータ３の回転周波数より十分低い。このように構成することで、板ばね５２，５３，６４がモータ３の回転振動に共振ぜず、モータ３の高速回転時に発生する振動が減衰する。その結果、ボトムケース１７等の構造物への振動の伝播が抑制され、モータ３の回転振動に起因する騒音が低減する。
【００５２】
以上説明したように、本実施の形態では、モータ３を搭載したホルダ３１を、光学ユニット２２のボトムケース１７から開口部３０を介して抜き出すことができるので、光学ユニット２２を位置調整台２４から外さずにモータ交換を行うことが可能になり、モータ交換のための作業が容易になる。また、モータ３の交換後に位置調整台２４を再調整する必要がないため、モータ交換に要する時間を短縮することができる。
【００５３】
また、ホルダ３１が挿抜される方向を、投写光学系９の光軸に略直交する方向としたので、使用者はホルダ３１を水平に（より具体的には、キャビティ２３の背面側に）抜き出せばよく、ホルダ３１の抜き出し操作がし易くなる。
【００５４】
さらに、ホルダ３１がガイド４０により案内されているので、簡単な構成で、ホルダ３１を挿抜可能とする構成を実現することができる。
【００５５】
加えて、ホルダ３１がボトムケース１７内に挿入された状態で、色フィルタ４がホルダ３１とガイド４０とに覆われているので、色フィルタ４への埃の付着を防止できる。
【００５６】
加えてまた、ホルダ３１が、板ばね５２，５３，６４によりガイド４０に対して押圧されているため、ホルダ３１のがたつきを防止し、色フィルタ４及びモータ３を正確に位置決めすることができる。
【００５７】
さらに、板ばね５２，５３，６４の固有振動数が、モータ３の回転周波数よりも十分低く設定されているので、モータ３の高速回転による振動を板ばね５２，５３，６４により減衰させ、騒音が低減することができる。
【００５８】
本実施の形態では、また、光学ユニット２２のボトムケース１７の開口部３０を介して、ケーブル１４を中継基板６７から取り外す作業を行うことができるため、モータ交換に際し、ケーブル１４の取り外しのためにシールドケース６５からシールドカバー６５ａを取り外す必要がない。そのため、モータ交換を容易に行うことができ、モータ交換に要する時間を短縮することができる。
【００５９】
さらに、中継基板６７とモータ３とを接続するケーブル１４が、導電性を有するユニットケース（ボトムケース１７及びアッパーケース２１等）により囲まれているため、外部への電磁波の漏れが抑制される。
【００６０】
なお、中継基板６７をボトムケース１７内の開口部３０の近傍に配置する構成は、本実施の形態のようにホルダ３１がボトムケース１７の開口部３０から挿抜可能となっている映像表示装置以外の映像表示装置にも適用することができる。
【００６１】
最後に、本実施の形態の効果についての理解を容易にするため、本実施の形態に対する比較例に係る映像表示装置について説明する。図１３は、比較例に係る映像表示装置の光学ユニットを示す断面図であり、図１４は、比較例に係る映像表示装置を示す断面図である。
【００６２】
図１３に示した光学ユニット２２では、色フィルタ４及びモータ３は、透明の窓部１１を有する分割可能なユニットケース１２，１３の内部に密閉されている。モータ３に電力を供給するケーブル１４は、ユニットケース１２，１３から外部に引き出され、回路基板１５に接続されている。ユニットケース１２，１３は、ボトムケース１７の底面にねじ２０で固定されている。すなわち、ユニットケース１２，１３のボトムケース１７からの着脱は、ボトムケース１７からアッパーケース２１を取り外すことで可能になる。
【００６３】
この比較例に係る映像表示装置では、アッパーケース２１をボトムケース１７から取り外すためのねじを回転操作する工具２０ａ（図１４）や、ボトムケース１７からユニットケース１２，１３を取り外すためのねじを回転操作する工具の挿入経路は、スクリーン２６と光学ユニット２２との間の仕切り板２７で遮られている。そのため、位置調整台２４から光学ユニット２２を取り外してキャビネット２３の外に取り出した後でなければ、モータ３の交換を行うことができない。さらに、光学ユニット２２を位置調整台２４に取り付けたのち、位置調整台２４を再調整しなければならない。
【００６４】
また、回路基板１５で発生する高周波ノイズがケーブル１４を介してキャビネット２３の外部に漏れないよう、ケーブル１４はシールドケース２９（図１１）に収容されており、このシールドケース２９の開口部はシールドカバー２８によって覆われている。従って、モータ３の交換時には、シールドケース２９からシールドカバー２８を取り外さなければならない。シールドカバー２８は、光学ユニット２２と位置調整台２４との間に配置されているため、位置調整台２４から光学ユニット２２を取り外さなければ、シールドカバー２８をシールドケース２９から取り外すことができず、モータ交換に要する時間が長くなる。
【００６５】
このように、比較例に係る映像表示装置では、モータ３の交換作業が複雑であり、またモータ３の交換に要する時間が長くなる。
【００６６】
これに対し、本実施の形態では、キャビネット２３のカバー７０を開き、光学ユニット２２のボトムケース１７のカバー３６を開くことで、モータ３を搭載したホルダ３１をボトムケース１７の開口部３０から抜き出すことができる。このように、光学ユニット２２を位置調整台２４から外さずにホルダ３１を抜き出すことができるため、モータ交換のための作業が容易になる。また、モータ３の交換後に位置調整台２４を調整する必要がないため、モータ交換に要する時間を短縮することができる。
【００６７】
本発明は、上述した実施の形態で説明した映像表示装置に限らず、種々の映像表示装置に適用することができる。本発明は、例えば、１日に２４時間稼動し、長い期間使用される映像表示装置であって、モータ交換時間（映像が表示されない時間）が長引くと業務上の弊害となり得る用途（例えば監視用）に用いられる映像表示装置に特に有用である。
【図面の簡単な説明】
【００６８】
【図１】この発明の一実施の形態に係る映像表示装置の内部構成を示す断面図である。
【図２】この発明の一実施の形態に係る映像表示装置の内部構成を示す平面図である。
【図３】この発明の一実施の形態に係る映像表示装置の斜視図であって、ボトムケースの開口部からホルダを取り出した状態を示す斜視図である。
【図４】この発明の一実施の形態に係る映像表示装置の斜視図であって、ボトムケースの開口部にホルダを挿入した状態を示す斜視図である。
【図５】この発明の一実施の形態に係る映像表示装置の斜視図であって、ボトムケースの開口部をカバーで塞いだ状態を示す斜視図である。
【図６】この発明の一実施の形態に係る映像表示装置のホルダがガイド内に挿入された状態を示す斜視図である。
【図７】この発明の一実施の形態に係る映像表示装置のホルダがガイドから取り出された状態を示す斜視図である。
【図８】この発明の一実施の形態に係る映像表示装置のホルダがガイド内に挿入された状態を示す斜視図である。
【図９】この発明の一実施の形態に係る映像表示装置のホルダがガイドから取り出された状態を示す斜視図である。
【図１０】この発明の一実施の形態に係る映像表示装置のホルダ及びガイドとカバーとを示す斜視図である。
【図１１】この発明の一実施の形態に係る映像表示装置を示す側断面図である。
【図１２】この発明の一実施の形態に係る映像表示装置の一部を拡大して示す背面図である。
【図１３】比較例に係る映像表示装置を示す断面図である。
【図１４】比較例に係る映像表示装置を示す側断面図である。
【符号の説明】
【００６９】
３  モータ、  ４  色フィルタ、  ８  ライトバルブ、  ９  投写光学系、  １４，６６  ケーブル、  １５  回路基板、  １７  ボトムケース、  ２１  アッパーケース、  ２２  光学ユニット、  ２３  キャビネット、  ２６  スクリーン、  ３０  開口部、  ３１  ホルダ、  ３６  カバー、  ４０  ガイド、  ５２，５３，６４  ばね部材、  ６５  シールドケース、  ６７  中継基板、  ６９  メンテナンス用開口、  ７０  カバー。
【図１】
2006267751.tif 000004
【図２】
2006267751.tif 000005
【図３】
2006267751.tif 000006
【図４】
2006267751.tif 000007
【図５】
2006267751.tif 000008
【図６】
2006267751.tif 000009
【図７】
2006267751.tif 000010
【図８】
2006267751.tif 000011
【図９】
2006267751.tif 000012
【図１０】
2006267751.tif 000013
【図１１】
2006267751.tif 000014
【図１２】
2006267751.tif 000015
【図１３】
2006267751.tif 000016
【図１４】
2006267751.tif 000017